(57)【要約】【課題】パイプの入り口端部（開口部）からのストレート部の長さが短いパイプに挿入可能なオイルレベルゲージを提供することを目的とするものである。【解決手段】パイプ内周面と密着するシール部と前記パイプの入り口端部に当接するストッパー部とより成るパッキンと、前記パッキンの一端から伸びる取手部と、前記パッキンの他端から伸びると共に、その先端にゲージ部を設けた案内部とより成るオイルレベルゲージにおいて、前記案内部が、金属材製のワイヤーで製作されると共に、前記取手部と前記ストッパー部内でカシメにより一体化していることを特徴とする。【選択図】図１
2015087151.tif 000002
【特許請求の範囲】
【請求項１】
パイプ（１）内周面と密着するシール部（２１）と前記パイプ（１）の入り口端部に当接するストッパー部（２２）とより成るパッキン（２）と、前記パッキン（２）の一端から伸びる取手部（３）と、前記パッキン（２）の他端から伸びると共に、その先端にゲージ部（４１）を設けた案内部（４）とより成るオイルレベルゲージにおいて、
前記案内部（４）が、金属材製のワイヤーで製作されると共に、前記取手部（３）と前記ストッパー部（２２）内でカシメにより一体化していることを特徴とするオイルレベルゲージ。
【請求項２】
前記シール部（２１）が、複数個に分離独立した環状部材により構成されていることを特徴とする請求項１記載のオイルレベルゲージ。
【請求項３】
前記ゲージ部（４１）が、レベル部（４１１）を前記案内部（４）にカシメにより固定していることを特徴とする請求項１または２記載のオイルレベルゲージ。
【発明の詳細な説明】
【技術分野】
【０００１】
本発明は、例えば自動車のエンジンオイル等の液面検出に使用するオイルレベルゲージに関し、特に２次元、３次元方向に屈曲成形し、パイプの入り口端部（開口部）からのストレート部の長さが短いパイプに挿入可能なオイルレベルゲージに関する。
【背景技術】
【０００２】
従来、オイルレベルゲージとしては、図４に示す形状のものが知られている。
すなわち、パイプ内周面と密着するシール部２１０とパイプの入り口端部に当接するストッパー部２２０とより成るパッキン２００を、変形困難な金属材製の丸棒を使用した取手部３００の一部に一体成形し、この取手部３００の一端に、金属材製の板状部材からなる案内部４００をリベット等により固定する構成となっていた。
【０００３】
また、この案内部４００の先端側には油量を検知する為のゲージ部が設けられている。
しかし、図５に示す様な、オイルレベルゲージを挿入するパイプ１００の入り口端部１１０（開口部）からのストレート部１２０の長さＸが、ストッパー部２２０のシール部２１０側端部から案内部４００が固定されている取手部３００の一端までの長さＡよりも短い場合は、この種オイルレベルゲージはパイプ１００に挿入できず、使用できない問題を招来した。
【０００４】
そこで、改良されたオイルレベルゲージとして図６に示す形状のものが提案された。（特許文献１）
【０００５】
すなわち、パイプ内周面と密着するシール部２１０とパイプの入り口端部に当接するストッパー部２２０とより成るパッキン２００を、変形困難な金属材製の丸棒を使用した取手部３００の一部に一体成形し、この取手部３００の一端に、金属材製の板状部材からなる案内部４００をリベット等により固定する基本構成において、先に説明した従来技術と同じであるが、取手部３００の一端に、金属材製の板状部材からなる案内部４００をリベット等により固定した箇所に、パッキン２００を一体成形している。
【０００６】
この様な構成とする事により、変形困難な領域の長さを、図４に示したオイルレベルゲージのＡよりも短い、シール部２１０の長さに等しいＢとする事が出来た。
しかし、オイルレベルゲージを挿入するパイプ１００の入り口端部１１０（開口部）からのストレート部１２０の長さＸを、長さＢ以上確保する必要があった。
【先行技術文献】
【特許文献】
【０００７】
【特許文献１】実公平５−４３３８８号公報
【発明の概要】
【発明が解決しようとする課題】
【０００８】
パイプの入り口端部（開口部）からのストレート部の長さが短いパイプに挿入可能なオイルレベルゲージを提供することを目的とするものである。
【課題を解決するための手段】
【０００９】
上記目的を達成するために本発明にあっては、パイプ内周面と密着するシール部と前記パイプの入り口端部に当接するストッパー部とより成るパッキンと、前記パッキンの一端から伸びる取手部と、前記パッキンの他端から伸びると共に、その先端にゲージ部を設けた案内部とより成るオイルレベルゲージにおいて、前記案内部が、金属材製のワイヤーで製作されると共に、前記取手部と前記ストッパー部内でカシメにより一体化していることを特徴とする。
【発明の効果】
【００１０】
本発明は、以下に記載されるような効果を奏する。
請求項１記載の発明のオイルレベルゲージによれば、案内部が、金属材製のワイヤーで製作されると共に、取手部とストッパー部内でカシメにより一体化する構成としている為、パイプの入り口端部（開口部）からのストレート部の長さが短いパイプに挿入可能なオイルレベルゲージを提供することが出来る。
また、請求項２記載の発明のオイルレベルゲージによれば、シール部が、複数個に分離独立した環状部材により構成されている為、シール部をパイプの湾曲に沿って容易に変形させることが出来る。
【００１１】
更に、請求項３記載の発明のオイルレベルゲージによれば、ゲージ部が、レベル部を案内部にカシメにより固定する構成としている為、パイプの湾曲に沿って容易に変形させることが出来る事により、案内部の挿入が容易である。
【図面の簡単な説明】
【００１２】
【図１】本発明に係る一部を断面で示したオイルレベルゲージの側面図。
【図２】図１の部分拡大図。
【図３】図１のオイルレベルゲージをパイプに挿入した状態の部分イメージ図。
【図４】従来技術に係るオイルレベルゲージの側面図。
【図５】オイルレベルゲージが挿入されるパイプの部分断面図。
【図６】従来技術に係る改良された一部を断面で示したオイルレベルゲージの側面図。
【発明を実施するための形態】
【００１３】
以下、本発明を実施するための最良の形態について説明する。
本発明に係るオイルレベルゲージは、図１、図２及び図３に示す様に、パイプ１内周面と密着するシール部２１とパイプ１の入り口端部１１（開口部）に当接するストッパー部２２とより成るパッキン２と、このパッキン２の一端から伸びる取手部３と、パッキン２の他端から伸びると共に、その先端にゲージ部４１を設けた案内部４とより成る基本的構成を備えている。
【００１４】
そして、案内部４は、金属材製のワイヤーで製作されると共に、取手部３とストッパー部２２内でカシメにより一体化している。
【００１５】
カシメは、図２に示す様に、ワイヤー製の案内部４の端部と金属材製の丸棒を使用した取手部３の端部を金属環５内に挿入し、圧接固定する事により行われる。
この金属環５の案内部４側の端部５１は、シール部２１側に突出しない事が望ましい。
この様な構成とした事により、図３に示す様に、パイプの入り口端部（開口部）からのストレート部１０の長さＸが短いパイプ１であっても、シール部２１が変形可能である為、挿入可能とする事が出来る。
【００１６】
また、図２に示す様に、シール部２１が、複数個に分離独立した環状部材により構成されている為、図３に示す様に、シール部２１の相互の連結部において容易に折れ曲がる為、シール部２１をパイプ１の湾曲に沿って容易に変形させることが出来る。
【００１７】
更に、図1に示す様に、ゲージ部４１は、複数個のリング状のレベル部４１１を案内部４にカシメにより固定する構成としている為、案内部４の変形が阻害されず、パイプ１の湾曲に沿って容易に変形させることが出来る。
【００１８】
パッキン２に使用されるゴム状弾性材料としては、エチレンプロピレンジエン三元共重合体（ＥＰＤＭ）、フッ素ゴム（ＦＫＭ）、水添加ニトリルゴム（ＨＮＢＲ）、ニトリルゴム（ＮＢＲ）、天然ゴム（ＮＲ）、アクリル酸エステルゴム（ＡＣＭ）等が適宜選択して用いられる。
【００１９】
また、本発明は上述の発明を実施するための最良の形態に限らず、本発明の要旨を逸脱することなくその他種々の構成を採り得ることはもちろんである。
【産業上の利用可能性】
【００２０】
本発明に係るオイルレベルゲージは、自動車エンジンの油量を計測する為に好適に利用される。
【符号の説明】
【００２１】
１    パイプ
２    パッキン
３    取手部
４    案内部
５    金属環
１０  ストレート部
１１  入り口端部
２１  シール部
２２  ストッパー部
４１  ゲージ部
５１  端部
４１１レベル部
【図１】
2015087151.tif 000003
【図２】
2015087151.tif 000004
【図３】
2015087151.tif 000005
【図４】
2015087151.tif 000006
【図５】
2015087151.tif 000007
【図６】
2015087151.tif 000008